【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
ファクシミリ装置から通信回線を介して送信された画像信号と、その画像信号の送り先を表す信号とを受信して、前記受信された画像信号及び送り先を表す信号を基に、前記送り先に宛てる電子メールを作成して、前記電子メールをネットワークに送出するサーバを備えたことを特徴とする電子メール送信システム。
【請求項２】
ファクシミリ装置から通信回線を介して送信された音声信号と、その音声信号の送り先を表す信号とを受信して、前記受信された音声信号及び前記送り先を表す信号を基に、前記送り先に宛てる電子メールを作成して、前記電子メールをネットワークに送出するサーバを備えたことを特徴とする電子メール送信システム。
【請求項３】
ファクシミリ装置から送信される画像信号と、前記画像信号の送り先を特定する情報とを受信するファクシミリ受信手段と、
受信した画像信号を添付ファイルとして、前記受信した送り先を特定する情報に基づいて取得した送り先宛の電子メールを作成する電子メール作成手段と、
前記電子メールを外部のネットワークに送出するネットワーク接続手段とを備える、
ことを特徴とする電子メール送信システム。
【請求項４】
ファクシミリ装置から送信される音声信号と、前記音声信号の送り先を特定する情報とを受信するファクシミリ受信手段と、
受信した音声信号を添付ファイルとして、前記受信した送り先を特定する情報に基づいて取得した送り先宛の電子メールを作成する電子メール作成手段と、
前記電子メールを外部のネットワークに送出するネットワーク接続手段とを備える、
ことを特徴とする電子メール送信システム。
【請求項５】
送り先に固有の番号とアドレスとを対応付けて格納するデータベースと、
ファクシミリ受信手段が受信した送り先に固有の番号に基づいて、前記受信した画像信号又は音声信号の送り先を特定するアドレスを取得する手段とを備え、
電子メール作成手段は、前記画像信号又は音声信号を添付ファイルに変換して、前記アドレスを表す情報に、前記添付ファイルを添付する手段を備え、
ネットワーク接続手段は、前記アドレスを表す情報と、該アドレスを表す情報に添付された前記添付ファイルとを、外部のネットワークに送出する、
ことを特徴とする請求項３又は４に記載の電子メール送信システム。
【請求項６】
電子メール作成手段における添付ファイルへ変換する手段は、ファクシミリ受信手段が受信した画像信号又は音声信号を、送り先において復元可能な信号からなる添付データに変換する手段である、
ことを特徴とする請求項５に記載の電子メール送信システム。
【請求項７】
電子メール作成手段は、ファクシミリ受信手段が受信した画像信号又は音声信号のデータ量の情報を、送り先のアドレスの情報に添付する手段を備える、
ことを特徴とする請求項３乃至６のいずれか１項に記載の電子メール送信システム。
【請求項８】
ネットワークに接続され、このネットワークを介してバイナリ形式のデータと、前記データの送り先に固有の番号とを受信する受信手段と、
前記受信手段が受信したバイナリ形式のデータを、電子メール用の添付データに変換し、この添付データを前記送り先に固有の番号に対応するアドレス情報を含むヘッダ情報に添付して電子メールを作成する変換手段と、
前記添付データが添付されたヘッダ情報をネットワークを介して外部に送出する送信手段とを備える、ことを特徴とする電子メール送信システム。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
【課題を解決するための手段】
上記目的を達成するため、本発明の電子メール送信システムは、ファクシミリ装置から通信回線を介して送信された画像信号と、その画像信号の送り先を表す信号とを受信して、前記受信された画像信号及び送り先を表す信号を基に、前記送り先に宛てる電子メールを作成して、前記電子メールをネットワークに送出するサーバを備える、ことを特徴とする。
【手続補正５】
【補正対象書類名】明細書
【補正対象項目名】０００９
【補正方法】変更
【補正の内容】
【０００９】
このような電子メール送信システムによれば、ファクシミリ装置が送信した画像信号より電子メールが作成されて、信号の送り先に送られる。
【手続補正６】
【補正対象書類名】明細書
【補正対象項目名】００１０
【補正方法】変更
【補正の内容】
【００１０】
上記目的を達成するため、本発明の電子メール送信システムは、ファクシミリ装置から通信回線を介して送信された音声信号と、その音声信号の送り先を表す信号とを受信して、前記受信された音声信号及び前記送り先を表す信号を基に、前記送り先に宛てる電子メールを作成して、前記電子メールをネットワークに送出するサーバを備えたことを特徴としており、ファクシミリ装置が送信した音声信号からも電子メールが作成され、信号の送り先に送られる。
【手続補正７】
【補正対象書類名】明細書
【補正対象項目名】００１１
【補正方法】変更
【補正の内容】
【００１１】
また、上記目的を達成するため、本発明の電子メール送信システムは、ファクシミリ装置から送信される画像信号と、前記画像信号の送り先を特定する情報とを受信するファクシミリ受信手段と、受信した画像信号を添付ファイルとして、前記受信した送り先を特定する情報に基づいて取得した送り先宛の電子メールを作成する電子メール作成手段と、前記電子メールを外部のネットワークに送出するネットワーク接続手段とを備えることを特徴としており、画像信号が、ファクシミリ受信手段で受信されて、電子メールの一部として、外部のネットワークに送出される。
【手続補正８】
【補正対象書類名】明細書
【補正対象項目名】００１２
【補正方法】変更
【補正の内容】
【００１２】
また、上記目的を達成するため、本発明の電子メール送信システムは、ファクシミリ装置から送信される音声信号と、前記音声信号の送り先を特定する情報とを受信するファクシミリ受信手段と、受信した音声信号を添付ファイルとして、前記受信した送り先を特定する情報に基づいて取得した送り先宛の電子メールを作成する電子メール作成手段と、前記電子メールを外部のネットワークに送出するネットワーク接続手段とを備えることを特徴としており、これにより、音声信号もファイ牛ミリ受信手段で受信されて、電子メールの一部（例えば、電子メールの添付ファイル）として、外部のネットワークに送出される。
【手続補正９】
【補正対象書類名】明細書
【補正対象項目名】００１３
【補正方法】変更
【補正の内容】
【００１３】
また、上記目的を達成するため、本発明の電子メール送信システムは、送り先に固有の番号とアドレスとを対応付けて格納するデータベースと、ファクシミリ受信手段が受信した送り先に固有の番号に基づいて、前記受信した画像信号又は音声信号の送り先を特定するアドレスを取得する手段とを備え、電子メール作成手段は、前記画像信号又は音声信号を添付ファイルに変換して、前記アドレスを表す情報に、前記添付ファイルを添付する手段を備え、ネットワーク接続手段は、前記アドレスを表す情報と、該アドレスを表す情報に添付された前記添付ファイルとを、外部のネットワークに送出することを特徴としており、これにより、画像信号又は音声信号は、送り先のアドレスの情報と共に、例えば前記電子メールの添付ファイルとして、前記ネットワーク接続手段から外部のネットワークに送出される。
【手続補正１０】
【補正対象書類名】明細書
【補正対象項目名】００１４
【補正方法】変更
【補正の内容】
【００１４】
また、上記目的を達成するため、本発明の電子メール送信システムは、電子メール作成手段における添付ファイルへ変換する手段は、ファクシミリ受信手段が受信した画像信号又は音声信号を、送り先において復元可能な信号からなる添付データに変換する手段であることを特徴としており、これにより、例えば、送り先の側にある画像信号又は音声信号の復元のための装置の能力等に応じて、送り先における画像信号又は音声信号の復元に適した形式を有する前記添付データが送信される。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
また、上記目的を達成するため、本発明の電子メール送信システムは、電子メール作成手段は、ファクシミリ受信手段が受信した画像信号又は音声信号のデータ量の情報を、送り先のアドレスの情報に添付する手段を備えることを特徴としており、送り先には、データ量が通知され、送り先における信号の適切な復元が図られる。
【手続補正１４】
【補正対象書類名】明細書
【補正対象項目名】００１８
【補正方法】変更
【補正の内容】
【００１８】
また、上記目的を達成するため、本発明の電子メール送信システムは、ネットワークに接続され、このネットワークを介してバイナリ形式のデータと、前記データの送り先に固有の番号とを受信する受信手段と、前記受信手段が受信したバイナリ形式のデータを、電子メール用の添付データに変換し、この添付データを前記送り先に固有の番号に対応するアドレス情報を含むヘッダ情報に添付して電子メールを作成する変換手段と、前記添付データが添付されたヘッダ情報をネットワークを介して外部に送出する送信手段とを備える、ことを特徴とする。